(57)【要約】【課題】  静態及び動態の文字、パターン及び数字表示を行なえる発光表示機能を具えた腕力訓練器の提供。【解決手段】  回転球体が軸で上ケースと下ケースの間に固定され、縦軸方向或いは横軸方向に回転可能とされ、電源装置と制御回路が回転球体内に嵌め込まれ、発光装置が回転球体表面に結合されて制御回路の点灯、滅灯制御を受けると共に電源装置より電源提供され、制御回路の各発光装置に対するプログラム式点アレイの点灯、滅灯制御により回転球体が静止或いは外力駆動により回転する時、各発光装置が共同で点アレイ文字、パターン及び数字の静態表示を形成するか回転球体回転時に人の眼の視覚残留現象により動態或いは循環表示を形成する。【選択図】        図２
0003106852.tif 000002
【実用新案登録請求の範囲】
【請求項１】
発光表示機能を具えた腕力訓練器において、上ケース及び下ケース、回転球体、複数の発光装置、電源装置及び制御回路を具え、
該上ケース及び下ケースは、相互に結合されて中空球体を形成し、且つ上ケースに開口が設けられ、
該回転球体は、両端に軸が形成され、該軸が横軸方向或いは縦軸方向に上述の上ケース及び下ケースの間に結合され、回転球体が上ケースと下ケースの間にあって横軸方向或いは縦軸方向に回転可能とされ、
該複数の発光装置は、回転球体の表面に嵌め込まれ、
該電源装置及び制御回路は、回転球体内部に嵌め込まれ、電源装置が制御回路及び各発光装置の点灯、滅灯に必要な作業電源を提供し、制御回路は各発光装置の点灯、滅灯を制御し、
該制御回路により各発光装置の点灯、滅灯が制御されて回転球体が静止し不動の時に静止パターン、文字及び数字を表示するか、或いは回転球体が回転時に複数行複数列のディスプレイのような動態パターン、文字及び数字表示を形成することを特徴とする、発光表示機能を具えた腕力訓練器。
【請求項２】
請求項１記載の発光表示機能を具えた腕力訓練器において、上ケース及び下ケースが透明ケースとされたことを特徴とする、発光表示機能を具えた腕力訓練器。
【請求項３】
請求項１記載の発光表示機能を具えた腕力訓練器において、下ケースの上端内側に環状に固定部が設けられ、回転球体の両端の軸がリングと結合されて該リングが該固定部に固定されたことを特徴とする、発光表示機能を具えた腕力訓練器。
【請求項４】
請求項３記載の発光表示機能を具えた腕力訓練器において、リングの両端に孔が設けられ回転球体の両端の軸が該孔に挿着されたことを特徴とする、発光表示機能を具えた腕力訓練器。
【請求項５】
請求項１記載の発光表示機能を具えた腕力訓練器において、回転球体に少なくとも一つの溝が設けられたことを特徴とする、発光表示機能を具えた腕力訓練器。
【請求項６】
請求項１記載の発光表示機能を具えた腕力訓練器において、各発光装置が配列されて固定されたパターン、文字を形成したことを特徴とする、発光表示機能を具えた腕力訓練器。
【請求項７】
請求項１記載の発光表示機能を具えた腕力訓練器において、各発光装置が配列されて少なくとも一行或いは一列をなすことを特徴とする、発光表示機能を具えた腕力訓練器。
【請求項８】
請求項１記載の発光表示機能を具えた腕力訓練器において、発光装置が発光ダイオードとされたことを特徴とする、発光表示機能を具えた腕力訓練器。
【請求項９】
請求項１記載の発光表示機能を具えた腕力訓練器において、電源装置が永久磁石、少なくとも一つのコイル、整流電圧安定化回路を具え、
該永久磁石は回転球体両端の軸のいずれか一方に結合され、
該少なくとも一つのコイルは回転球体内の永久磁石に対向する位置に嵌め込まれ、回転球体の回転時に交流誘導電力を発生し、
該整流電圧安定化回路は回転球体中に嵌め込まれ、コイルの発生する交流誘導電力を直流電源に変換することを特徴とする、発光表示機能を具えた腕力訓練器。
【請求項１０】
請求項１記載の発光表示機能を具えた腕力訓練器において、電源装置は直流電池及びスイッチを具え、スイッチ制御により直流電池の電源の切断或いは投入が制御されることを特徴とする、発光表示機能を具えた腕力訓練器。
【請求項１１】
請求項１記載の発光表示機能を具えた腕力訓練器において、制御回路は発光装置の点灯、滅灯をプログラム制御する回路とされることを特徴とする、発光表示機能を具えた腕力訓練器。
【請求項１２】
請求項１記載の発光表示機能を具えた腕力訓練器において、制御回路はマイクロプロセッサとされ、内部に少なくとも一種類の点灯、滅灯制御プログラムが記録され、並びに複数の出力ピンを具え、該出力ピンが各発光装置に接続されて各発光装置の点灯、滅灯を制御することを特徴とする、発光表示機能を具えた腕力訓練器。
【請求項１３】
請求項１記載の発光表示機能を具えた腕力訓練器において、少なくとも一対のセンサが回転球体と下ケースの間に結合されて、回転球体の回転速度及び回転位置を検出し、並びに検出信号を出力し、制御回路がマイクロプロセッサを具え、該マイクロプロセッサが入力ピンと複数の出力ピンを具え、該入力ピンがセンサが検出して得られた検出信号を入力するのに用いられ、マイクロプロセッサの出力ピンは各発光装置に接続されて各発光装置を制御してに回転球体の回転速度データの数字の点灯、滅灯表示を行なわせることを特徴とする、発光表示機能を具えた腕力訓練器。
【請求項１４】
請求項１２又は１３に記載の発光表示機能を具えた腕力訓練器において、制御回路が更に選択スイッチを具え、マイクロプロセッサが該選択スイッチに接続された入力ピンを具え、選択スイッチの押圧操作によりマイクロプロセッサ内部の点灯、滅灯制御プログラムが選択されることを特徴とする、発光表示機能を具えた腕力訓練器。
【請求項１５】
請求項１３記載の発光表示機能を具えた腕力訓練器において、センサが対をなすリードスイッチ、光電スイッチ或いは誘導コイル及び磁石で構成されたことを特徴とする、発光表示機能を具えた腕力訓練器。
【考案の詳細な説明】
【技術分野】
【０００１】
本考案は一種の発光表示機能を具えた腕力訓練器に係り、特に手腕で回転操作されることで内部の回転球体表面に設けられた点アレイが組み合わされた発光装置がパターン、文字及び数字表示機能を発生するよう形成された腕力訓練器に関する。
【背景技術】
【０００２】
腕力訓練器は広く腕力鍛練の場合に使用され、特に個人の手腕の筋肉の訓練或いはリハビリに対しては顕著な運動及び治療効果を有する。例えば特許文献１及び特許文献２には腕力回転運動を中心とした腕力訓練器が記載され、それは簡単な手腕の運転操作により腕力訓練の目的を達成できる。
【０００３】
しかし、周知の腕力訓練器の構造は相当に簡単で、使用時に、腕力で内部球体に回転を発生させて、遠心力を以て腕力に対抗し、運動の目的を達成するだけであり、腕力訓練器の機能は厳格に運動器材に位置づけられ、使用操作機能は単調であり、更に多くの消費者の購入意欲をかき立てることはできず、腕力訓練器の普及と推奨に不利である。また、使用者の使用操作上、単調な操作の腕力訓練器に過ぎず、使用者の注目を集める他の機能を具備せず、腕力訓練器の使用意欲及び使用率を高めることができない。
【０００４】
【特許文献１】台湾特許第１３５０５８号明細書
【特許文献２】米国特許第５，８００，３１１号明細書
【考案の開示】
【考案が解決しようとする課題】
【０００５】
本考案の主要な目的は、一種の発光表示機能を具えた腕力訓練器を提供することにあり、それは、複数の発光装置が回転球体表面に設けられて、発光表示を行ない消費者及び使用者を引きつける機能を具備した腕力訓練器であるものとする。
【０００６】
本考案の別の目的は、一種の発光表示機能を具えた腕力訓練器を提供することにあり、それは、電源装置及び制御回路が回転球体内に嵌め込まれ、各発光装置の点灯、滅灯制御を行ない、各発光装置に点アレイのパターン、文字及び数字の表示機能を構成させることができる腕力訓練器であるものとする。
【０００７】
本考案の更に別の目的は、一種の発光表示機能を具えた腕力訓練器を提供することにあり、それは、各発光装置が少なくとも一つの列或いは行を成すよう配列されると共に、制御回路のプログラム式点灯、滅灯制御に回転球体の回転による視覚残留現象が組み合わされることで、動態或いは循環するパターン、文字及び数字の表示効果を形成するものとする。
【課題を解決するための手段】
【０００８】
請求項１の考案は、発光表示機能を具えた腕力訓練器において、上ケース及び下ケース、回転球体、複数の発光装置、電源装置及び制御回路を具え、
該上ケース及び下ケースは、相互に結合されて中空球体を形成し、且つ上ケースに開口が設けられ、
該回転球体は、両端に軸が形成され、該軸が横軸方向或いは縦軸方向に上述の上ケース及び下ケースの間に結合され、回転球体が上ケースと下ケースの間にあって横軸方向或いは縦軸方向に回転可能とされ、
該複数の発光装置は、回転球体の表面に嵌め込まれ、
該電源装置及び制御回路は、回転球体内部に嵌め込まれ、電源装置が制御回路及び各発光装置の点灯、滅灯に必要な作業電源を提供し、制御回路は各発光装置の点灯、滅灯を制御し、
該制御回路により各発光装置の点灯、滅灯が制御されて回転球体が静止し不動の時に静止パターン、文字及び数字を表示するか、或いは回転球体が回転時に複数行複数列のディスプレイのような動態パターン、文字及び数字表示を形成することを特徴とする、発光表示機能を具えた腕力訓練器としている。
請求項２の考案は、請求項１記載の発光表示機能を具えた腕力訓練器において、上ケース及び下ケースが透明ケースとされたことを特徴とする、発光表示機能を具えた腕力訓練器としている。
請求項３の考案は、請求項１記載の発光表示機能を具えた腕力訓練器において、下ケースの上端内側に環状に固定部が設けられ、回転球体の両端の軸がリングと結合されて該リングが該固定部に固定されたことを特徴とする、発光表示機能を具えた腕力訓練器としている。
請求項４の考案は、請求項３記載の発光表示機能を具えた腕力訓練器において、リングの両端に孔が設けられ回転球体の両端の軸が該孔に挿着されたことを特徴とする、発光表示機能を具えた腕力訓練器としている。
請求項５の考案は、請求項１記載の発光表示機能を具えた腕力訓練器において、回転球体に少なくとも一つの溝が設けられたことを特徴とする、発光表示機能を具えた腕力訓練器としている。
請求項６の考案は、請求項１記載の発光表示機能を具えた腕力訓練器において、各発光装置が配列されて固定されたパターン、文字を形成したことを特徴とする、発光表示機能を具えた腕力訓練器としている。
請求項７の考案は、請求項１記載の発光表示機能を具えた腕力訓練器において、各発光装置が配列されて少なくとも一行或いは一列をなすことを特徴とする、発光表示機能を具えた腕力訓練器としている。
請求項８の考案は、請求項１記載の発光表示機能を具えた腕力訓練器において、発光装置が発光ダイオードとされたことを特徴とする、発光表示機能を具えた腕力訓練器としている。
請求項９の考案は、請求項１記載の発光表示機能を具えた腕力訓練器において、電源装置が永久磁石、少なくとも一つのコイル、整流電圧安定化回路を具え、
該永久磁石は回転球体両端の軸のいずれか一方に結合され、
該少なくとも一つのコイルは回転球体内の永久磁石に対向する位置に嵌め込まれ、回転球体の回転時に交流誘導電力を発生し、
該整流電圧安定化回路は回転球体中に嵌め込まれ、コイルの発生する交流誘導電力を直流電源に変換することを特徴とする、発光表示機能を具えた腕力訓練器としている。
請求項１０の考案は、請求項１記載の発光表示機能を具えた腕力訓練器において、電源装置は直流電池及びスイッチを具え、スイッチ制御により直流電池の電源の切断或いは投入が制御されることを特徴とする、発光表示機能を具えた腕力訓練器としている。
請求項１１の考案は、請求項１記載の発光表示機能を具えた腕力訓練器において、制御回路は発光装置の点灯、滅灯をプログラム制御する回路とされることを特徴とする、発光表示機能を具えた腕力訓練器としている。
請求項１２の考案は、請求項１記載の発光表示機能を具えた腕力訓練器において、制御回路はマイクロプロセッサとされ、内部に少なくとも一種類の点灯、滅灯制御プログラムが記録され、並びに複数の出力ピンを具え、該出力ピンが各発光装置に接続されて各発光装置の点灯、滅灯を制御することを特徴とする、発光表示機能を具えた腕力訓練器としている。
請求項１３の考案は、請求項１記載の発光表示機能を具えた腕力訓練器において、少なくとも一対のセンサが回転球体と下ケースの間に結合されて、回転球体の回転速度及び回転位置を検出し、並びに検出信号を出力し、制御回路がマイクロプロセッサを具え、該マイクロプロセッサが入力ピンと複数の出力ピンを具え、該入力ピンがセンサが検出して得られた検出信号を入力するのに用いられ、マイクロプロセッサの出力ピンは各発光装置に接続されて各発光装置を制御してに回転球体の回転速度データの数字の点灯、滅灯表示を行なわせることを特徴とする、発光表示機能を具えた腕力訓練器としている。
請求項１４の考案は、請求項１２又は１３に記載の発光表示機能を具えた腕力訓練器において、制御回路が更に選択スイッチを具え、マイクロプロセッサが該選択スイッチに接続された入力ピンを具え、選択スイッチの押圧操作によりマイクロプロセッサ内部の点灯、滅灯制御プログラムが選択されることを特徴とする、発光表示機能を具えた腕力訓練器としている。
請求項１５の考案は、請求項１３記載の発光表示機能を具えた腕力訓練器において、センサが対をなすリードスイッチ、光電スイッチ或いは誘導コイル及び磁石で構成されたことを特徴とする、発光表示機能を具えた腕力訓練器としている。
【考案の効果】
【０００９】
本考案の発光表示機能を具えた腕力訓練器は、上ケース、下ケース、回転球体、電源装置、制御回路及び複数の発光装置を具えている。そのうち、回転球体は軸で上ケースと下ケースの間に固定され、縦軸方向或いは横軸方向に回転可能とされ、電源装置と制御回路が回転球体内に嵌め込まれ、発光装置が回転球体表面に結合されて制御回路の点灯、滅灯制御を受けると共に電源装置より電源提供され、制御回路の各発光装置に対するプログラム式点アレイの点灯、滅灯制御により回転球体が静止或いは外力駆動により回転する時、各発光装置が共同で点アレイ文字、パターン及び数字の静態表示を形成するか回転球体回転時に人の眼の視覚残留現象により動態或いは循環表示を形成し、こうして腕力訓練器が静態及び動態表示の機能を具備するものとされている。
【考案を実施するための最良の形態】
【００１０】
図１から図３に示される本考案の腕力訓練器１００は、上ケース１０、下ケース２０、回転球体３０、複数の発光装置４０、電源装置５０及び制御回路６０を具えている。そのうち、上ケース１０及び下ケース２０は中空半球体とされ、上ケース１０の上部に開口１１が開設され、下ケース２０の上端内側周囲に固定部２１が設けられている。
【００１１】
回転球体３０の両端に軸３１が形成され、別にリング３２の両端に孔３２１が設けられ、回転球体３０の両端の軸３１が孔３２１内に挿入されて回転球体３０がリング３２に固定され、リング３２が更に上述の下ケース２０の固定部２１の上に固定され、上ケース１０と下ケース２０が接続された後、上ケース１０と下ケース２０の間に固定され、該回転球体３０が軸３１に沿って横方向或いは縦方向に上ケース１０と下ケース２０の間に置かれ、リング３２が軸受の機能を提供し、該回転球体３０が横軸方向或いは縦軸方向に回転可能とされる。本実施例中、回転球体３０は横軸方向に回転し、リング３２の一端の孔３２１の周囲に固定座３２２が設けられ、且つ該回転球体３０の表面に少なくとも一つの溝３３が設けられ、ロープ３３１が開口１１より該溝３３中に巻き付けられ、ロープ３３１の外向きの施力牽引及びロープ３３１と回転球体３０間の表面摩擦力により、回転球体３０が初期回転を発生する。以上の溝３３の構造とロープ３３１の操作は本考案中の回転球体３０の初期駆動回転方法の一つに過ぎず、本考案の回転球体３０の構造を制限するものではなく、その他の回転球体３０を駆動し回転させられる構造はいずれも本考案の回転球体３０の構造の範疇に属するものとする。
【００１２】
発光装置４０は回転球体３０の表面に嵌め込まれ、発光装置４０の形態に制限はなく、本実施例では発光ダイオードとされるが、その他の電力で駆動される発光装置の使用も本考案の範疇に属する。各発光装置４０は自由に配列されてパターン、文字をなすものとされ、また、本考案の実施例のように、少なくとも一列或いは一行の組合せに配列されることでパターン、文字及び数字の点アレイ式表示を行なうものとされうる。
【００１３】
電源装置５０及び制御回路６０はいずれも回転球体３０内に嵌め込まれて発光装置４０の点灯、滅灯に必要な電源及び制御回路６０の必要とする直流電源を提供し、電源装置５０の形態に制限はない。本考案の第１実施例では、永久磁石５１、少なくとも一つのコイル５２、及び整流電圧安定化回路５３で組成された小型直流発電機を使用し、そのうち、永久磁石５１は回転球体３０の両端の軸３１のいずれか一方に結合され、且つ永久磁石５１はリング３２の一端の固定座３２２に結合、固定されて固定され不動の磁場提供装置とされている。コイル５２及び整流電圧安定化回路５３は回転球体３０内の永久磁石５１に対向する位置に嵌め込まれ、コイル５２は回転球体３０の回転時に永久磁石５１の発生する磁力線を切断し、これによりコイル５２が交流誘導電力を発生し、整流電圧安定化回路５３による整流及び電圧安定化処理の後、安定した直流作業電源を形成して各発光装置４０及び制御回路６０に提供する。
【００１４】
制御回路６０は各発光装置４０の点灯、滅灯制御を行ない、且つ制御回路６０の形態に制限はない。本考案ではマイクロプロセッサ６１と選択スイッチ６２で組成されたプログラム式点灯、滅灯制御回路を例としている（図３）。該マイクロプロセッサ６１内には予め少なくとも一種類の発光装置４０の点灯、滅灯制御プログラムが記録され、上述の電源装置５０は動態発電の形態とされて、自動的に各一種類の発光装置４０の点灯、滅灯プログラムを循環、変換する。マイクロプロセッサ６１は入力ピン６１１を具え、該入力ピン６１１は選択スイッチ６２に接続され、電源装置５０が静態直流電源供給状態にある時（図４、５）、選択スイッチ６２が一回押されるごとに上述のマイクロプロセッサ６１内部に記録された発光装置４０の点灯、滅灯制御プログラムを切り換え選択するのに供され、マイクロプロセッサ６１は複数の出力ピン６１２を具えて各発光装置４０に接続され、出力ピン６１２が低電位に設定された時、発光装置４０は点灯され、反対に、出力ピン６１２が高電位に設定された時、発光装置４０は滅灯される。ただしこのように出力ピン６１２の低電位及び高電位で発光装置４０を制御する方式は唯一のものではなく、マイクロプロセッサ６１の出力ピン６１２の出力を高電位方式として直接発光装置４０を点灯させ、制御回路６０の発光装置４０に対するプログラム式点灯、滅灯制御の機能により、各発光装置４０の点灯、滅灯の異なる位置により共同で異なる点アレイパターン、文字及び数字を表示させることができる。
【００１５】
更に図４、５に示されるのは本考案の腕力訓練器１００の第２実施例である。そのうち、図１から図３に示される第１実施例との違いは、電源装置５０が直流電池５４及びスイッチ５５で構成されて、静態の直流電力供給状態とされ、スイッチ５５は回転球体３０周囲の任意の位置に設けられて直流電池５４の電源の投入或いは切断に用いられ、制御回路６０に回転球体３０の静止状態下で、静態のパターン、文字及び数字表示を行なわせることにある。並びに、下ケース２０の底部にデジタルカウンタ７０が結合されて回転球体３０の回転時の回転数を計数及び表示する。ただしデジタルカウンタ７０の電源システムは独立しており、上述の電源装置５０とは無関係であり、この第２実施例は既存の周知の腕力訓練器に対してもとの腕力訓練器を破棄することなく、僅かな部分の改良を行なうことで第１実施例と同様の表示構造と機能を達成できるようにしたものである。
【００１６】
図１から図３の第１実施例と図４、図５の第２実施例中の電源装置５０は、動態発電と静態電力供給を結合させることも可能で、即ち、永久磁石５１、コイル５２、整流電圧安定化回路５３で組成さた動態発電構造を、直流電池５４及びスイッチ５５で構成された直流電力供給構造に結合させ、直流電池５４が二次電池形態の時、永久磁石５１、コイル５２、整流電圧安定化回路５３で組成された動態発電構造が発電して余分の電力を供給する状況で、余分の電力を直流電池５４に充電して直流電池５４の電力を補充し、同時に動態、静態形式の電力供給を提供可能とし、本考案の腕力訓練器１００を同時に動態、静態の表示操作可能とすることができる。
【００１７】
更に図６と図７は本考案の腕力訓練器１００の腕力訓練操作時の二つの応用例を示す。そのうち、図６は回転球体３０が回転し、各発光装置４０の制御回路６０によるプログラム式点灯、滅灯制御、及び回転球体３０の回転時の回転速度により発生するフレームの急速切り換えが人の目に発生させる数秒の視覚残留現象により、複数行複数列のパターン点アレイが動態点アレイパターン表示効果を発生し、この表示効果は開口１１（図６）或いは上ケース１０及び下ケース２０の透明無色のケースにより対外表示される。同様に、図７では回転球体３０回転時に、各発光装置４０が水平点アレイ文字表示を形成し水平左方向或いは右方向スクロールの点アレイ文字循環表示効果を形成する。
【００１８】
以上の図６及び図７の二種類の点アレイパターン及び文字の動態或いは循環表示機能の説明から、本考案の発光装置４０は最少数の表示点アレイの行或いは列により、複数行或いは複数列の点マトリクスディスプレイと同じ表示効果を達成できることが分かる。言い換えると、最初の回路コストにより最良の動態のパターン、文字及び数字表示効果を達成できる。
【００１９】
図８及び図９は本考案の第３実施例を示す。そのうち、少なくとも一対のセンサ８０が回転球体３０と上ケース１０の間或いは回転球体３０と下ケース２０の間に設けられ、図８ではセンサ８０が下ケース２０と回転球体３０の間に設けられ、相互に対応するセンシングにより回転球体３０の回転相対位置を検出し、即ち回転球体３０が発光装置４０の面に取り付けられて上ケース１０の開口１１位置に至るのを検出し、並びにこの位置の検出信号Ａ（図９）を上述の制御回路６０中のマイクロプロセッサ６１のもう一つの入力ピン６１１’に提供して発光装置４０の点灯、滅灯タイミングの制御の根拠となし、また回転球体３０が回転して毎回発光装置４０を上ケース１０の開口１１位置に至らす時、マイクロプロセッサ６１が発光装置４０の点灯、滅灯制御動作を行なう。
【００２０】
上述の第３実施例中のセンサ８０は発光装置４０に開口１１を通して外向きに動態のパターン、文字及び数字を表示させるほか、電源装置５０の電力損耗を減らし、節電機能を達成し、並びに、センサ８０間の検出信号周波数により、マイクロプロセッサ６１は該検出信号Ａの周波数を計算して対応する回転球体３０の回転速度に変換し、並びにこの回転速度データをマイクロプロセッサ６１により発光装置４０の視覚残留スクロール動態回転速度数字として発光表示し、デジタルカウンタ７０を通さずに直接使用者に本考案の腕力訓練器１００を使用した手腕運動効果を表示することができる。
【００２１】
以上の図８及び図９に示される本考案の第３実施例中のセンサ８０の形態は不問であり、対をなすリードスイッチ、光電スイッチ或いはセンシングコイル及び磁石で構成されて回転球体３０の回転位置及び回転速度の検出信号Ａを検出するものとされる。回転球体３０の回転速度測定方式はこのセンサ８０の相互センシングに制限されず、電源装置５０の第１実施例中の永久磁石５１、コイル５２及び整流電圧安定化回路５３で組成された小型直流発電機の発電電源周波数を計数基礎としても、同様に、計数、回転球体３０回転速度表示の効果を達成できる。
【００２２】
以上の図１から図９に示される本考案の腕力訓練器１００は、その創作精神が最も簡単な構造及び回路コストにより腕力訓練器に腕力訓練と同時に、静態或いは動態のパターン、文字及び数字表示の機能を達成させ、腕力訓練器１００の使用上の単調な問題を解決し、腕力訓練器１００の使用率と使用人口を増せるようにすることにある。また、使用する回路の電源システム上、電池を免除し節電の環境保護問題も考慮されており、極めて産業上の利用価値を有する。
【００２３】
上述の図１から図９に記載の発光表示機能を具えた腕力訓練器及び関係する説明は、本考案の技術内容及び技術手段を説明するために提示されたものであり、本考案の範疇を制限するものではなく、本考案の構造に対する細部の修飾或いは改変で本考案の創作精神と範疇より逸脱しないものは、いずれも本考案の請求範囲に属するものとする。
【図面の簡単な説明】
【００２４】
【図１】本考案の第１実施例の立体外観構造図である。
【図２】図１の立体分解構造図である。
【図３】本考案の回路ブロック図である。
【図４】本考案の第２実施例図である。
【図５】図４の立体分解構造図である。
【図６】本考案の回転球体表面の発光装置が動態パターン表示を発生する応用例を示す平面図である。
【図７】本考案の回転球体表面の発光装置が循環文字表示を発生する応用例を示す平面図である。
【図８】本考案の第３実施例図である。
【図９】図８の本考案の第３実施例の制御回路図である。
【符号の説明】
【００２５】
１００  腕力訓練器                      １０  上ケース
１１  開口                              ２０  下ケース
２１  固定部                            ３０  回転球体
３１  軸                                ３２  リング
３２１  孔                              ３２２  固定座
３３  溝
３３１  ロープ                          ４０  発光装置
５０  電源装置                          ５１  永久磁石
５２  コイル                            ５３  整流電圧安定化回路
５４  電池                              ５５  スイッチ
６０  制御回路                          ６１  マイクロプロセッサ
６１１  入力ピン                        ６１１’  入力ピン
６１２  出力ピン                        ６２  選択スイッチ
７０  デジタルカウンタ                  ８０  センサ
Ａ  検出信号
【図１】
0003106852.tif 000003
【図２】
0003106852.tif 000004
【図３】
0003106852.tif 000005
【図４】
0003106852.tif 000006
【図５】
0003106852.tif 000007
【図６】
0003106852.tif 000008
【図７】
0003106852.tif 000009
【図８】
0003106852.tif 000010
【図９】
0003106852.tif 000011